(57)【要約】【課題】  雨漏りを確実に防止できる太陽光採光装置を提供する。【解決手段】  屋根部１の取り付け穴３に取り付けられる太陽光採光装置１０において、本体１１の外側面１１Ｂの全周にわたって雨受け樋２０を設ける。雨受け樋２０は、屋根部１の下方に配置され、屋根部１の上方に配置された水切り板１８と共に、雨漏りを二重に防止する。雨受け樋２０の外側面１１Ｂへの固定は、本体１１の外側面１１Ｂの全周にわたってシール状態で固定された水切り板１８に対して、雨受け樋２０の受け部の底面２０Ａに取り付けられたＬ字型金具２３を、連結手段２４を介して連結することによりなされる。【選択図】      図２
0003111930.tif 000002
【実用新案登録請求の範囲】
【請求項１】
筒状の本体と、前記本体の上下に設けられた拡散板と、前記本体の内部に配置された反射板とを備え、建物の屋根部の取り付け穴に取り付けられ得る太陽光採光装置において、
前記本体の外側面の全周にわたって雨受け樋を設け、前記雨受け樋が前記取り付け穴の下方に配置されるようにした太陽光採光装置。
【請求項２】
前記屋根部の上方に配置され、前記本体と前記屋根部の隙間をシールするシール部材を更に備えた請求項１に記載の太陽光採光装置。
【請求項３】
前記本体の外側面の全周にわたって板部材を設け、前記板部材の上端を前記本体の外側面にシール状態で固定する一方、前記板部材の下端を前記雨受け樋の受け部内に取り付けるようにした請求項１に記載の太陽光採光装置。
【考案の詳細な説明】
【技術分野】
【０００１】
本考案は、建物の屋根部に設置される太陽光採光装置において、雨漏りを防止するための構造に関する。
【背景技術】
【０００２】
太陽光を建物内部に効率的に導入するための手段として、建物の屋根部に設置される太陽光採光装置が知られている。一般に、太陽光採光装置は、内部に反射板を配置した筒形本体と、この本体の上下に配置された拡散板とから構成される。このような構成により、太陽光採光装置に照射した太陽光は、上側の拡散板で拡散されながら本体内部に導入され、本体内部の反射板により反射されて下側の拡散板に至り、下側の拡散板で拡散されて、建物の屋内を照射する。この場合、プラスチック等からなる拡散板は、可視光線を透過する一方で、紫外線を遮断し、また赤外線のエネルギーの多くを分散し下側拡散板より僅かしか取り込まない。このため、紫外線によって室内の物品が色あせしてしまったり、赤外線によって屋内が高温化することなく、効率的に太陽光を採光できる。
【特許文献１】米国特許６，３８５，９２２号
【考案の開示】
【考案が解決しようとする課題】
【０００３】
このような太陽光採光装置は、建物の屋根部に形成された取り付け穴に対して取り付けられる。このため、雨天時には、太陽光採光装置と取り付け穴との隙間からの雨漏りを確実に防止する必要がある。特に、工場のような建物においては、僅かな雨漏りも重大な問題を引き起こしかねないので、雨漏りを完全に防止する必要がある。
【０００４】
本考案は、このような問題点に鑑みてなされたもので、雨漏りを確実に防止できる太陽光採光装置を提供することを目的とする。
【課題を解決するための手段】
【０００５】
本考案は、筒状の本体と、前記本体の上下に設けられた拡散板と、前記本体の内部に配置された反射板とを備え、建物の屋根部の取り付け穴に取り付けられ得る太陽光採光装置において、前記本体の外側面の全周にわたって雨受け樋を設け、前記雨受け樋が前記取り付け穴の下方に配置されるようにした。
【０００６】
前記屋根部の上方に配置され、前記本体と前記屋根部の隙間をシールするシール部材を更に備えてもよい。
前記本体の外側面の全周にわたって板部材を設け、前記板部材の上端を前記本体の外側面にシール状態で固定する一方、前記板部材の下端を前記雨受け樋の受け部内に取り付けるようにしてもよい。
【考案の効果】
【０００７】
本考案によれば、太陽光採光装置（例えば太陽光採光装置１０）の本体（例えば本体１１）の外側面（例えば外側面１１Ｂ）の全周にわたって雨受け樋（例えば雨受け樋２０）が設けられるので、太陽光採光装置と屋根部の取り付け穴の隙間から雨漏りがあったとしても、雨受け樋により受け止められ、雨漏りが屋内に及ぶことはない。
【０００８】
また、屋根部の上方にシール部材（例えば水切り板１８）を設ければ、雨漏りは水切り板と雨受け樋で二重に防止されるので、雨漏りの可能性を著しく低減できる。また、雨受け樋内部を確認することにより、シール部材が正しく機能しているかを確認できる。
【０００９】
また、本体の外側面の全周にわたって板部材（例えば水切り板２２）を設け、前記板部材の上端を本体の外側面にシール状態で固定する一方、板部材の下端を雨受け樋の受け部内に取り付けるようにすれば、雨漏りは板部材を伝って確実に雨受け樋内部に受け入れられるので、雨漏りが屋内まで及ぶことを確実に防止できる。
【考案を実施するための最良の形態】
【００１０】
以下、添付図面に基づいて本考案の実施形態について説明する。
図１は、本実施形態の太陽光採光装置を示す斜視図である。また、図２は、本実施形態の太陽光採光装置を建物屋根部に取り付けた状態を示す断面図である。図示されるように、太陽光採光装置１０は、略正方形断面の筒状の部材からなる本体１１と、本体１１の上部開口に配置された保護板１２及び上側拡散板１３と、本体１１の下部開口に配置された下側拡散板１４とを備えている。
【００１１】
保護板１２は、太陽光を透過し得る材料（例えばアクリル樹脂）からなる、なだらかに湾曲したドーム型の部材である。この保護板１２は、上側拡散板１３を埃等から保護するためのもので、上側拡散板１３の上方に所定の間隔をもって配置される。上側拡散板１３は、保護板１２を透過してきた太陽光を拡散させて本体１１内部に導入するためのもので、保護板１２と同様に、太陽光を透過し得る材料（例えばアクリル樹脂）から形成された、なだらかに湾曲したドーム型の部材である。上側拡散板１３の表面は、太陽光を拡散させるための特殊な形状（例えば多数の多角形を並べた形状）に加工されている。保護板１２及び上側拡散板１３は、固定部材１５を介して、本体１１の上部に固定される。
【００１２】
下側拡散板１４は、太陽光を透過し得る材料（例えばアクリル樹脂）からなる板状の部材であり、本体部１１の下部に固定されている。下側拡散板１４の表面は、上側拡散板１３と同様、透過する太陽光を拡散するための特殊な形状（例えば多数の多角形を並べた形状）に加工されている。
【００１３】
本体１１は、加熱されても燃えにくい材質（例えば金属等）からなる筒状の部材である。本体１１の内側中空部１１Ａには、支持部材１６を介して反射板１７が固定されている。反射板１７は、保護板１２及び上側拡散板１３を透過して内側中空部１１Ａ内に導入された太陽光を反射して下側拡散板１４に導くもので、高反射率の表面部（例えばアルミ箔）を備えている。
【００１４】
本体１１は、図示されない取り付け手段を介して、建物の屋根部１及び天井部２を貫通して形成された取り付け穴３内に固定される。これにより、保護板１２及び上側拡散板１３は、屋根部１より上方の屋外４に配置され、下側拡散板１４は、天井部２下方の室内５に配置される。このような構成により、保護板１２及び上側拡散板１３を透過して本体１１の中空部１１Ａ内に導入された太陽光は、反射板１７により反射されて下側拡散板１４に至り、下側拡散板１４を透過する際に拡散され、室内５の広範囲を照射するようになっている。
【００１５】
本体１１の外側面１１Ｂの屋外５に露出した部分には、水切り板１８が取り付けられている。この水切り板１８は、本体１１の外側面１１Ｂの全周にわたって設けられるもので、例えば溶接により、本体１１に対して固定されている。水切り板１８は、取り付け穴３と本体１１の隙間をシールし、雨水の室内５への進入を防止するものである。
【００１６】
本体１１の外側面１１Ｂの屋根部１よりも下方には、本考案の特徴である雨受け樋２０が固定されている。雨受け樋２０は、例えば金属からなる、上方に開口部を有する断面コの字型の部材であり、外側面１１Ｂの全周にわたって設けられる。これにより、雨水が水切り板１８によるシールを越えて屋根部１の下方に漏れてきた場合でも、雨水は雨受け樋２０によって受け止められ、雨漏りが室内５にまで及ぶことを確実に防止できる。また、雨受け樋２０内に雨水が溜まっているか否かを確認することにより、室内５に実際に雨漏りが生じる前に、水切り板１８によるシールが不完全であることを発見できる。
【００１７】
なお、図３に示すように、雨受け樋２０には、溜まった雨水を排水する排水手段として、開閉可能な排出口２１を設けてもよい。また、本体１１と取り付け穴３との隙間は、基本的に仕切り板１８によってシールされており、雨受け樋２０に大量の雨水が溜まることはまれであると考えられるので、雨受け樋２０に特に排水手段を設けず、雨受け樋２０内の雨水を自然乾燥させるようにしてもよい。
【００１８】
図４には、雨受け樋２０を本体１１に固定するための固定方法の一例を示す。図示されるように、本体１１の外側面１１Ｂには、水切り板２２が、例えば溶接によって、シール状態で固定されている。ここで、水切り板２２は、外側面１１Ｂの全周にわたって設けられるものである。これに対して、雨受け樋２０の受け部の底部２０Ａには、複数のＬ字型金具２３が、例えば溶接により取り付けられている。このＬ字型金具２３を、例えばボルト及びナット等の連結手段２４を介して水切り板２２に固定することにより、雨受け樋２０は、本体１１の外周に配置される。このような構成により、雨漏りが外側面１１Ｂの全周のどの箇所に発生したとしても、雨水は、水切り板２２を介して雨受け樋２０の内部に導かれるようになっている。
【００１９】
以上のように、本実施形態の太陽光採光装置１０によれば、太陽光採光装置１０と屋根部１の取り付け穴３との隙間からの雨漏りが、屋根部１の上側の水切り板１８と、屋根部１の下側の雨受け樋２０によって二重に防止されるので、室内５への雨漏りは確実に防止できる。また、雨受け樋２０内部を確認することにより、室内５に雨漏りが生じる前に、水切り板１８のよるシールが不完全であることを発見できる。
【図面の簡単な説明】
【００２０】
【図１】本考案の実施形態における太陽光採光装置を示す斜視図である。
【図２】同じく太陽光採光装置が建物の屋根部に設置された状態を示す断面図である。
【図３】同じく太陽光採光装置を示す平面図である。
【図４】同じく雨受け樋の本体への固定方法の一例を示す断面図である。
【符号の説明】
【００２１】
１  屋根部
２  天井部
３  取り付け穴
４  屋外
５  室内
１０  太陽光採光装置
１１  本体
１２  保護板
１３  上側拡散板
１４  下側拡散板
１７  反射板
１８  水切り板
２０  雨受け樋
２２  水切り板
２３  Ｌ字型金具
２４  連結手段
【図１】
0003111930.tif 000003
【図２】
0003111930.tif 000004
【図３】
0003111930.tif 000005
【図４】
0003111930.tif 000006